(57)【特許請求の範囲】
【請求項１】
ケーシング(2) 内の上部空間にスイッチボックス(10)が配置され、該スイッチボックス(10)が、ファンモータ(41)台に設けられたスイッチボックス支持部(11)により支持された空気調和装置の室外機であって、
スイッチボックス支持部(11)は、スイッチボックス(10)におけるケーシング(2) の背面側部分を支持するようにファンモータ台(41)と一体に形成された背面側支持部(11a) と、ファンモータ台(41)の前面に取り付けられてスイッチボックス(10)におけるケーシング(2) の前面側部分を支持するように構成された前面側支持部(11b)とを備え、
前面側支持部(11b) が、ファンモータ台(41)に対して、前面側から着脱可能な締結部材(11c) により取り付けられていることを特徴とする空気調和装置の室外機。
【請求項２】
ケーシング(2) 内が互いに隣接するファン室(2a)と機械室(2b)に区画される一方、ケーシング(2) の前板(24)は、ファン室(2a)の前面側を覆うファン室前板(24a) が側板(25)とは別部材に構成されてケーシング(2) に着脱可能に構成されていることを特徴とする請求項１記載の空気調和装置の室外機。
【請求項３】
ファン室前板(24a) を、ケーシング(2) に対して前面側から着脱する締結部材を備えていることを特徴とする請求項２記載の空気調和装置の室外機。
【請求項４】
ケーシング(2) におけるファン室前板(24a) と側板(25)とは、一方に設けられた凸部(29a) と、該凸部(29a) が係合するようにその他方に形成された凹部(29b) とからなる着脱機構(29a,29b) を備えていることを特徴とする請求項２または３記載の空気調和装置の室外機。
【発明の詳細な説明】
【０００１】
【発明の属する技術分野】
本発明は、空気調和装置の室外機に関し、特に、スイッチボックスの取付構造に係るものである。
【０００２】
【従来の技術】
従来より、いわゆるセパレート型の空気調和装置において、室外機は、例えば特開２０００−１６１７１６号公報に記載されているように、直方体形状のケーシング内が、仕切板を隔てて左右に隣り合った２つの空間に分けられている。そして、一方の空間には熱交換器とファンなどが配置され、この空間が熱交換スペース（ファン室）に構成されている。また、他方の空間には、圧縮機や冷媒配管、さらには冷媒配管に接続される制御機器などの各種の部品が配置され、この空間が機械室に構成されている。
【０００３】
空気調和装置の室外機には、上記公報にも記載されているように、例えばケーシング内の上部空間にスイッチボックスが配置されている。スイッチボックスは、例えばファンモータを支持するファンモータ台と一体に形成されたスイッチボックス支持部により、底面と前面及び背面が支持されている。このスイッチボックスには、各種の電子部品が装着されたプリント基板が固定され、該プリント基板にはケーシング内の各機器が接続されている。
【０００４】
上記室外機のケーシングは、前板及び背板と左右側板に天板が複数のビスで固定されている。また、上記スイッチボックスは、この天板の下方で、該天板に沿うように配置されている。そして、室外機のメンテナンス時には、上記複数のビスを全て緩めて天板を側板から取り外すことでスイッチボックスの上面側を開放し、該ボックスを必要に応じてケーシングから取り出して作業を行う。
【０００５】
ところで、セパレート型の空気調和装置をビルの屋上などに設置する場合、図１３に示すように、複数の室外機(100) を左右に並べ、さらに上下２段に設置する場合がある。このような場合、メンテナンス時の作業性を考慮して、上下に位置する室外機(100,100) の間には、少なくとも４００mm〜５００mm程度のスペース(101) が設けられる。このため、上段の室外機(100) は、かなり高い位置に設置され、特に、比較的大型の室外機（例えば、高さ寸法が１０００mm程度以上のものなど）の場合には、上段の室外機(100)の設置位置が非常に高くなる。
【０００６】
【発明が解決しようとする課題】
このように、室外機(100) を２段に設置すると、メンテナンス時の作業スペース(101) のために上下の室外機(100) の間隔を広くする必要があることから、設置スペース全体が大きくなってしまう問題がある。また、上段の室外機(100) 用の支持構造体（図示せず）が、十分な強度を確保するために大型になり、コストも高くなってしまう。これに対して、上下の室外機(100) の間隔を狭くすると、設置スペースを全体に小さくできるし、支持構造体の小型化や低コスト化も可能となるが、メンテナンス作業が困難になったり、場合によってはできなくなってしまう問題がある。
【０００７】
本発明は、このような問題点に鑑みて創案されたものであり、その目的とするところは、室外機を上下２段に配置した場合に上下の室外機の間隔を狭くしてもメンテナンス作業を可能とすることであり、それによって、設置スペースを全体的に小さくするとともに、支持構造体の小型化や低コスト化も可能にすることである。
【０００８】
【課題を解決するための手段】
本発明は、ケーシング(2) 内の上部空間に配設されるスイッチボックス(10)をケーシング(2) の前面から取り出してメンテナンス作業を行えるようにすることにより、室外機(1) の２段設置時における上下の間隔を狭くできるようにしたものである。
【０００９】
具体的に、本発明が講じた第１の解決手段は、ケーシング(2) 内の上部空間にスイッチボックス(10)が配置され、該スイッチボックス(10)が、ファンモータ(41)台に設けられたスイッチボックス支持部(11)により支持された空気調和装置の室外機を前提としている。
【００１０】
そして、この室外機は、スイッチボックス支持部(11)が、スイッチボックス(10)におけるケーシング(2) の背面側部分を支持するようにファンモータ台(41)と一体に形成された背面側支持部(11a) と、ファンモータ台(41)の前面に取り付けられてスイッチボックス(10)におけるケーシング(2) の前面側部分を支持するように構成された前面側支持部(11b)とを備え、前面側支持部(11b) が、ファンモータ台(41)に対して、前面側から着脱可能な締結部材(11c) により取り付けられていることを特徴としている。
【００１１】
この第１の解決手段において、スイッチボックス(10)は、ケーシング(2) 内で、ファンモータ台(41)に設けられたスイッチボックス支持部(11)により支持されているため、従来と同様、ケーシング(2) の天板(23)を外すと、必要に応じてスイッチボックス(10)を上方に取り出してメンテナンス作業を行うことが可能である。一方、ケーシング(2) の前板(24)を外し、さらに前面側から締結部材（11c）を操作することで、上記前面側支持部(11b) をファンモータ台(41)から取り外すことができる。したがって、ケーシング(2) に天板(23)が装着された状態であっても、スイッチボックス(10)をケーシング(2) の前方に取り出すことができる。
【００１２】
また、本発明が講じた第２の解決手段は、上記第１の解決手段において、ケーシング(2) 内が互いに隣接するファン室(2a)と機械室(2b)に区画される一方、ケーシング(2) の前板(24)は、ファン室(2a)の前面側を覆うファン室前板(24a) が側板(25)とは別部材に構成されてケーシング(2) に着脱可能に構成されていることを特徴としている。
【００１３】
空気調和装置の室外機(1) では、一般にはケーシング(2) のファン室前板(24a) と一方の側板(25)とは一体に形成されているが、この第２の解決手段においては、ファン室前板(24a) を単独でケーシング(2) に着脱可能にしているので、側板(25)がケーシング(2) に装着された状態でもこのファン室前板(24a) を取り外すと、スイッチボックス支持部(11)の前面側支持部(11b) を着脱して、スイッチボックス(10)を着脱することができる。
【００１４】
また、本発明が講じた第３の解決手段は、上記第２の解決手段において、ファン室前板(24a) を、ケーシング(2) に対して前面側から着脱する締結部材を備えていることを特徴としている。
【００１５】
この第３の解決手段においては、ファン室前板(24a) を、締結部材を用いてケーシング(2) の前面からの操作で着脱することができる。
【００１６】
また、本発明が講じた第４の解決手段は、上記第２または第３の解決手段において、ケーシング(2) におけるファン室前板(24a) と側板(25)とが、一方に設けられた凸部(29a) と、該凸部(29a) が係合するようにその他方に形成された凹部(29b) とからなる着脱機構(29a,29b) を備えていることを特徴としている。
【００１７】
この第４の解決手段においては、ケーシング(2) のファン室前板(24a) を側板(25)に対して凸部(29a) と凹部(29b) を係合・脱離させて着脱することにより、メンテナンス作業をケーシング(2) の前面から行うことができる。
【００１８】
【発明の効果】
上記第１の解決手段によれば、スイッチボックス支持部(11)が、スイッチボックス(10)におけるケーシング(2) の背面側部分を支持するようにファンモータ台(41)と一体に形成された背面側支持部(11a) と、ファンモータ台(41)の前面に取り付けられてスイッチボックス(10)におけるケーシング(2) の前面側部分を支持するように構成された前面側支持部(11b) とを備えているため、ケーシング(2) の天板(23)を外すとスイッチボックス(10)を上方に取り出すことが可能である。したがって、室外機(1) を上下２段に重ねずに設置した場合にはケーシング(2) の上方からメンテナンス作業を行える。
【００１９】
また、ケーシング(2) の前板(24)を外した状態にしておけば、スイッチボックス支持部(11)の前面側支持部(11b) を着脱する操作とスイッチボックス(10)を着脱する操作の両方を、ケーシング(2) の前面側から行うことができる。つまり、上記前面側支持部(11b) をファンモータ台(41)から取り外すことで、スイッチボックス(10)を前方に取り出すことができる。したがって、室外機(1) を上下２段に配置した場合は、上下の室外機(1) の間隔を狭くしても、スイッチボックス(10)をケーシング(2) の前方に引き出すことによりメンテナンス作業が可能となるので、室外機(1) の設置スペースを全体的に小さくできるとともに、支持構造体の小型化や低コスト化も可能になる。
【００２０】
また、上記第２の解決手段によれば、一般にはケーシング(2) のファン室前板(24a) と一方の側板(25)とが一体に形成されているのに対して、ケーシング(2) のファン室前板(24a) を側板(25)とは別部材に構成して、該ファン室前板(24a) をケーシング(2) に着脱自在に構成しているため、例えば複数の室外機(1) を左右に密に並べた状態で２段に重ねて配置する場合でも、ケーシング(2) のファン室前板(24a) のみを取り外し、さらに前面側支持部(11b) を外すことにより、容易にメンテナンスをすることができる。
【００２１】
また、上記第３の解決手段によれば、ケーシング(2) のファン室前板(24a) を前面からの操作で取り外し、さらに前面側支持部(11b) も前面からの操作で外すことができるので、全ての着脱作業を前面からのみ行うことで容易にメンテナンスをすることができる。
【００２２】
また、上記第４の解決手段によれば、ケーシング(2) のファン室前板(24a) と側板(25)とが、一方に設けられた凸部(29a) と、該凸部(29a) が係合するようにその他方に形成された凹部(29b) とからなる着脱機構(29a,29b) を備えているので、ケーシング(2) の前板(24)を容易に着脱することができる。したがって、前面からのメンテナンス作業をより容易に行うことが可能となる。
【００２３】
【発明の実施の形態】
以下、本発明の実施形態を図面に基づいて詳細に説明する。本実施形態は、セパレート型の空気調和装置の室外機(1) に関するものである。
【００２４】
図１は、この室外機(1) の外観形状を示し、（ａ）は正面図、（ｂ）は平面図、（ｃ）は左側面図、（ｄ）は右側面図、（ｅ）は背面図である。図示するように、ケーシング(2) の背面側には吸込口(21)が設けられ、前面側には吹出口(22)が設けられている。また、ケーシング(2) の上端部には天板(23)が設けられている。この天板(23)は、ケーシング(2) の前板(24)、左右側板(25,26) 、及び背板(27)の上端に図示しない複数個のボルトで固定されている。
【００２５】
図２〜図４は、それぞれ、室外機(1) 内の概略の機器配置構造を示し、図２は正面図、図３は平面図、図４は右側面図である。これらの図では、室外機(1) とその内部の各機器の外郭形状をともに実線で表し、表示を簡略化している。
【００２６】
図示するように、この室外機(1) のケーシング(2) 内には、室外熱交換器(3) 、送風機(4) 、圧縮機(5) 、レシーバ(6) 、及び閉鎖弁（ガス側閉鎖弁(7a)及び液側閉鎖弁(7b)）や、電動膨張弁（図示せず）等の機器が配置されている。
【００２７】
室外熱交換器(3) は、詳細構造は示していないがプレートフィンコイル型の空気熱交換器であり、ケーシング(2) に固定されている。該室外熱交換器(3) は、図３に示すように、平面視形状がほぼ「コ」字形に形成されている。この熱交換器(3) は、概ね、左側縁部(3a)がケーシング(2) の左側板(25)に沿うとともに右側縁部(3b)がケーシング(2) の右側板(26)に沿い、中央部(3c)がケーシング(2) の背板(27)に沿うように形成されている。また、該熱交換器(3) は、平面から見た状態において、右側縁部(3b)の奥行き寸法が、左側縁部(3a)の奥行き寸法よりも短く形成されている。
【００２８】
図５は、室外熱交換器(3) の概略形状を示す斜視図である。この図において、プレートフィンやチューブなどは図示していない。この室外熱交換器(3) は、下端部（以下、熱交下端部(3L)という）が、該熱交下端部(3L)よりも上方の部分（以下、熱交上部(3U)という）とは別体に構成されている。熱交下端部(3L)は、平面視形状がほぼ「Ｌ」字形に形成されている。つまり、該熱交下端部(3L)は、熱交上部(3U)の右側縁部(3b)に相当する部分は有しておらず、幅寸法(W2)が熱交上部(3U)の幅寸法(W1)よりも短く形成されている。このため、熱交上部(3U)と熱交下端部(3L)とから室外熱交換器(3)の全体を組み立てた状態において、該室外熱交換器(3) の右下端の角部が切り欠き(S) になっている。この切り欠き(S) は、閉鎖弁(7a,7b) から室内機への連絡配管(8) を通すためのスペースを構成するものとして設けられている。
【００２９】
上記室外熱交換器(3) の右側の端部には、図３に示すように、いわゆるチャンネル（溝形部材）形状に形成された管板(31)が固定されている。該管板(31)は鉛直上下方向に沿って延在している。この管板(31)とケーシングの前板(24)には、仕切板(28)が固定されている。
【００３０】
仕切板(28)は、ほぼケーシング(2) の上端部から下端部まで全体に延在しており、図３においてケーシング(2) 内の右下側（図２において右手前側）の角部に、比較的狭い空間を区画している。仕切板(28)は、ケーシング(2) の前板(24)から背板(27)側へ側板(26)と平行に位置するように、該側板(26)の約半分の幅で形成された平板部(28a) と、この平板部(28a) の後端に連接した曲板部(28b) とから構成され、曲板部(28b)は中間部分が背板(27)側に向かって凸状に湾曲している。この仕切板(28)は、平板部(28a) の前端がケーシング(2) の前板(24)に連結され、曲板部(28b) の右側端が、室外熱交換器(3) の右側縁部(3b)の管板(31)に固定されている。つまり、曲板部(28b) の右側端は、平板部(28a) の前端よりもケーシング(2) の側板(26)寄りに位置している。
【００３１】
上述したように、ケーシング(2) の内部は、仕切板(28)を隔てて隣接する大小２つの空間(2a,2b) に区画されている。上記室外熱交換器(3) と送風機(4) は、図３において仕切板(28)の左側から後側にかけて位置する大きい方の空間(2a)に配設され、この空間(2a)が、室外熱交換器(3) の伝熱管内を流れる冷媒と室外空気との熱交換スペース（ファン室）となっている。上記ケーシング(2) に設けられている吸込口(21)と吹出口(22)は、この熱交換スペース(2a)と連通するように配置されている。また、上記圧縮機(5) 、レシーバ(6) 、閉鎖弁(7a,7b) 、及び電動膨張弁等の機器は、仕切板(28)の右側ないし前側の小さい方の空間(2b)に配設されており、この空間(2b)が機械室に構成されている。
【００３２】
ここで、仕切板(28)について、さらに説明する。図６は上記仕切板(28)の斜視図であり、図７は正面図、図８は平面図である。仕切板(28)は、平板部(28a) と曲板部(28b) との間に、折り曲げ部(28c) を備えている。仕切板(28)の折り曲げ部(28c) は、該仕切板(28)の上下方向に連続する薄肉部により構成されている。この薄肉部は、板材をプレス加工して仕切板(28)を成形する際に、板材を同時に圧印して薄肉化することにより形成されている。仕切板(28)は、室外機(1) への組み付け前には図８に示すように折り曲げ部(28c) がまっすぐにのびた状態であり、平板部(28a) は前端が図の左手前側に向かって傾斜した状態になっている。
【００３３】
室外機(1) に仕切板(28)を装着する際は、まず、折り曲げ部(28c) がまっすぐな図８の状態で、曲板部(28b)の右端を室外熱交換器(3)の管板(31)に取り付ける。この状態で、平板部(28a) は、ケーシング(2) の側板(26)に対して傾斜し、ファン室(2a)寄りに位置する。このとき、室外機(1) に送風機(4) は装着前であり、送風機(4) と仕切板(28)とは干渉しない。また、機械室(2b)は広くなった状態であり、機械室(2b)側で行う配管作業などの作業スペース(2c)は十分に大きくなっている。したがって、作業を容易に行うことができる。
【００３４】
機械室(2b)側で作業を行った後、上記折り曲げ部(28c) を折り曲げることによって、仕切板(28)は、図３に示すように平板部(28a) が側板(26)と平行になるように形状が変化する。そして、送風機(4) を設置し、さらにケーシング(2) に前板(24)を取り付ける際に、仕切板(28)を前板(24)に固定する。
【００３５】
一方、上記送風機(4) は、上記熱交換スペース内で、２台が上下に並べて配置されている。各送風機(4) は、ファンモータ台(41)に固定されたファンモータ(42)と、ファンモータ(42)の出力軸に固定されたプロペラファン(43)とから構成されている。ファンモータ台(41)は、室外熱交換機(3) の前面側中央部に、送風機(4) を支持する縦長の構造部材として設けられている。
【００３６】
上記圧縮機(5) やレシーバ(6) や閉鎖弁(7a,7b) は、図示しない固定部材を用いて、機械室側でケーシング(2) に固定されている。また、図示していないが、電動膨張弁は、冷媒配管の経路中に接続されて、所定の位置に配設されている。連絡配管(8a,8b) （図９参照）を接続するためのガス側閉鎖弁(7a)と液側閉鎖弁(7b)は、図２〜図４に示すように、機械室(2b)の前面側において中央よりも若干下方寄りに配置され、機械室(2b)における図２の右側端部に位置している。各閉鎖弁(7a,7b) は据え付けが完了するまでは閉じられており、室外機(1) 側の冷媒配管内をクリーンに保っている。
【００３７】
ガス側閉鎖弁(7a)に接続されるガス側連絡配管(8a)と、液側閉鎖弁(7b)に接続される液側連絡配管(8b)は、それぞれ、図９に示すようにケーシング(2) の底板近傍で後方へ向かって折り曲げられ、上記室外熱交換器(3) の下端角部のスペースを通してケーシング(2) の外に引き出されている。
【００３８】
上記ケーシング(2) 内の上部空間には、図２及び図３に仮想線で示すようにスイッチボックス(10)が配置されている。スイッチボックス(10)は、上方が開放したプラスチック製の箱形ケースにより構成されている。このスイッチボックス(10)にはプリント配線基板（図示せず）が固定され、プリント配線基板には、プリント配線上に各種の電子部品が装着されるとともに、ケーシング(2) 内の各機器がリード線等の電気配線を介して電気的に接続されている。
【００３９】
上記スイッチボックス(10)は、図１０に示すように、左側の端部が、ファンモータ台(41)を利用して構成されたスイッチボックス支持部(11)により支持されている。また、スイッチボックス(10)の右側の端部は、図１０には示していないが、上記仕切板(28)によって下方から支持されている。
【００４０】
スイッチボックス支持部(11)は、スイッチボックス(10)におけるケーシング(2) の背面側部分を支持する背面側支持部(11a) と、スイッチボックス(10)におけるケーシング(2) の前面側部分を支持する前面側支持部(11b) とから構成されている。背面側支持部(11a) は、ファンモータ台(41)の上端部において、該ファンモータ台(41)と一体に形成されている。また、前面側支持部(11b) は、ファンモータ台(41)の前面に着脱可能に構成されている。前面側支持部(11b) は、ファンモータ台(41)に対して、前面側から着脱可能な数本のビス（締結部材）(11c) により取り付けられて、ファンモータ台(41)と一体化している。
【００４１】
一方、ケーシング(2) の前板(24)は、ファン室(2a)を覆うファン室前板(24a) と、機械室(2b)を覆う機械室前板(24b) とに分割され、機械室前板(24b) に上記仕切板(28)が連結されている。ファン室前板(24a) と左側板(25)とは、従来は一体になった一つの部品により構成されているが、この実施形態においては、これらの部材(24a,25)は別部材であり、ファン室前板(24a) が単独でケーシング(2) に着脱自在に構成されている。
【００４２】
具体的には、図１１及び図１２に示すように、左側の端縁が僅かに折り曲げられたファン室前板(24a) が、その折り曲げ部において左側板(25)に着脱可能に連結されている。ファン室前板(24a) には凸部(29a) が設けられる一方、左側板(25)には凸部(29a) が係合するように形成された凹部(29b) が設けられている。これらの凸部(29a) と凹部(29b) とにより、ファン室前板(24a) と左側板(25)とを着脱するための着脱機構(29a,29b) が構成されている。また、ファン室前板(24a) は、着脱機構としての凸部(29a) が設けられている左側縁部を除き、数カ所でケーシング(2) に前面から図示しないビス（締結部材）により締結されるように構成されている。
【００４３】
−室外機のメンテナンス作業−
本実施形態において、室外機(1) のメンテナンス時には、ケーシング(2) の天板(23)を外してスイッチボックス(10)を上方に取り出す作業と、ケーシング(2) の前板(24)を外してスイッチボックス(10)を前方に取り出す作業とが可能である。
【００４４】
例えば、ビルの屋上などにおいて、室外機(1) が上下に重ねられずに１段で配置されている場合など、ケーシング(2) の上方に十分な作業スペースがあるときには、上方からの作業を行う。つまり、ケーシング(2) の天板(23)を固定している複数のビスを全て緩めて天板(23)を外し、ケーシング(2) の上面を開放したうえで、必要に応じてスイッチボックス(10)を取り出してメンテナンス作業を行う。メンテナンスが完了すると、スイッチボックス(10)を元に戻し、さらに天板(23)をケーシング(2) に固定することにより作業を完了する。
【００４５】
また、室外機(1) が上下２段に重ねられた状態で配置されている場合などで、ケーシング(2) の上方に十分な作業スペースがないときには、前方からの作業を行う。このときは、まずケーシング(2) のファン室前板(24a) を取り外し、さらにファンモータ台(41)から前面側支持部(11b) を取り外したうえで、スイッチボックス(10)をケーシング(2) から手前に取り出し、メンテナンス作業を行う。メンテナンスが完了すると、スイッチボックス(10)を元に戻して前面側支持部(11b) をファンモータ台(41)に固定し、さらにファン室前板(24a) をケーシング(2) に固定することにより作業を完了する。
【００４６】
−実施形態の効果−
本実施形態によれば、スイッチボックス(10)におけるケーシング(2) の背面側部分を支持するようにファンモータ台(41)に形成された背面側支持部(11b) と、ファンモータ台(41)の前面に取り付けられてスイッチボックス(10)におけるケーシング(2) の前面側部分を支持するように構成された前面側支持部(11b) とからスイッチボックス支持部(11)を構成して、スイッチボックス(10)を支持するようにしているので、ケーシング(2) の天板(23)を外すとスイッチボックス(10)を上方に取り出すことが可能であるのに加えて、ケーシング(2) に天板(23)が装着された状態でも、ケーシング(2) のファン室前板(24a)を外し、さらに上記前面側支持部(11b)をファンモータ台(41)から取り外すと、スイッチボックス(10)を前方に取り出すことができる。
【００４７】
したがって、室外機(1) を上下２段に重ねずに設置した場合など、上方に十分な作業スペースがあるときには、従来と同様にケーシング(2) の上方からメンテナンス作業を行える。
【００４８】
また、室外機(1) を上下２段に配置した場合に上下の間隔が狭く、十分な作業スペースがないときでも、スイッチボックス(10)をケーシング(2) の前方に引き出すことによりメンテナンス作業が可能となる。このため、室外機(1) の設置スペース全体を小さくすることができるとともに、上段の室外機(1) を支持する支持構造体の小型化や低コスト化も可能になる。
【００４９】
また、従来は一般にケーシング(2) の前板(24)と側板(25)とが一体に形成されているのに対して、この実施形態ではファン室前板(24a) と側板(25)とを別部材に構成して、該ファン室前板(24a) をケーシング(2) に着脱自在に構成しているため、例えば複数の室外機(1) が左右に密に並べられた状態で２段に重ねて配置する場合でも、ケーシング(2) のファン室前板(24a) のみを取り外し、さらに前面側支持部(11b) を外すことにより、前方から容易にメンテナンス作業をすることができる。
【００５０】
その際、ケーシング(2) のファン室前板(24a) を前面からの作業で取り外せるようにビス（締結部材）を設けており、さらに前面側支持部(11b) も前面からの操作で外すことができるので、全ての着脱作業を前面からのみ行うことで容易にメンテナンスをすることができる。
【００５１】
さらに、ファン室前板(24a) と左側板(25)とを、凸部(29a) と、該凸部(29a) を係合させる凹部(29b) とからなる着脱機構(29a,29b) を用いて連結しているので、ケーシング(2) のファン室前板(24a) を容易に着脱することができ、前面からのメンテナンス作業を極めて容易に行うことができる。
【００５２】
【発明のその他の実施の形態】
本発明は、上記実施形態について、以下のような構成としてもよい。
【００５３】
例えば、上記実施形態では、ファン室前板(24a) と左側板(25)とを別体に構成し、ファン室前板(24a) を前方からの作業だけで取り外せるようにしているが、場合によってはファン室前板(24a) と左側板(25)とは一体に構成してもよい。例えば、複数の室外機を上下２段にするときでも、左右には離して配置する場合などは、横方向からの作業も行ってファン室を開放することができるので、その後にスイッチボックス(10)を前方に取り出してメンテナンス作業を行うことは可能である。
【図面の簡単な説明】
【図１】  本発明の実施形態に係る空気調和装置の室外機の外観形状を示し、（ａ）は正面図、（ｂ）は平面図、（ｃ）は左側面図、（ｄ）は右側面図、（ｅ）は背面図である。
【図２】  図１の室外機において、ケーシング内の概略の機器配置を線図で表した正面図である。
【図３】  図１の室外機において、ケーシング内の概略の機器配置を線図で表した平面図である。
【図４】  図１の室外機において、ケーシング内の概略の機器配置を線図で表した右側面図である。
【図５】  室外熱交換器の概略形状を示す斜視図である。
【図６】  仕切板の斜視図である。
【図７】  仕切板の正面図である。
【図８】  仕切板の平面図である。
【図９】  連絡配管を後方引き出しにした室外機の一部を示す斜視図である。
【図１０】  ファンモータ台の上部のスイッチボックス支持部を示す斜視図である。
【図１１】  ケーシングのファン室前板と左側板とを連結した状態の斜視図である。
【図１２】  ケーシングのファン室前板と左側板とを分解した状態の斜視図である。
【図１３】  従来の室外機を上下２段に設置した状態を示す斜視図である。
【符号の説明】
(1)   室外機
(2)   ケーシング
(2a)  熱交換スペース（ファン室）
(2b)  機械室
(3)   室外熱交換器
(3a)  左側端縁部
(3b)  右側端縁部
(3c)  中央部
(3L)  熱交下端部
(3U)  熱交上部
(4)   送風機
(5)   圧縮機
(6)   レシーバ
(7a)  ガス側閉鎖弁
(7b)  液側閉鎖弁
(8a)  ガス側連絡配管
(8b)  液側連絡配管
(10)  スイッチボックス
(11)  スイッチボックス支持部
(11a) 背面側支持部
(11b) 前面側支持部
(12)  ビス（締結部材）
(21)  吸込口
(22)  吹出口
(23)  天板
(24)  前板
(24a) ファン室前板
(24b) 機械室前板
(25)  左側板
(26)  右側板
(27)  背板
(28)  仕切板
(28a) 平板部
(28b) 曲板部
(28c) 折り曲げ部
(29a) 凸部（着脱機構）
(29b) 凹部（着脱機構）
(31)  管板
(41)  ファンモータ台
(42)  ファンモータ
(43)  プロペラファン
(S)   切り欠き
【図１】
0003668783.tif 000002
【図２】
0003668783.tif 000003
【図３】
0003668783.tif 000004
【図４】
0003668783.tif 000005
【図５】
0003668783.tif 000006
【図６】
0003668783.tif 000007
【図７】
0003668783.tif 000008
【図８】
0003668783.tif 000009
【図９】
0003668783.tif 000010
【図１０】
0003668783.tif 000011
【図１１】
0003668783.tif 000012
【図１２】
0003668783.tif 000013
【図１３】
0003668783.tif 000014